(57)【要約】【課題】微小光源を被った光路制御部の反射面に写り込んだ微小光源の像に起因する心理的不快感を低減できる発光装置を提供することにある。【解決手段】基板２１と、この基板２１に配置された光路制御部２２ａと、基板２１に実装されるとともにこの光路制御部２２ａで被われた３個以上の発光ダイオード（微小光源）２３ａ〜２３ｉとを具備する。光路制御部２２ａは、３以上の反射面２５ａ〜２５ｄを有して多角錐状をなすとともに、反射面２５ａ〜２５ｄで反射された反射光が出射する出射面２６と反対側の基板側端部に基板２１で閉じられる凹部２７を有する。一群の発光ダイオード２３ａ〜２３ｉを、凹部２７内に位置して、各反射面２５ａ〜２５ｄ毎にそれへの各発光ダイオード２３ａ〜２３ｉの写り込みの像が連続してなる合成像Ｘ〜Ｚを含んで写り込むように、各反射面２５ａ〜２５ｄに対して夫々２個以上高密度に配列したことを特徴としている。【選択図】      図３
2005183591.tif 000002
【特許請求の範囲】
【請求項１】
基板と、
錐状の反射面、及びこの反射面で反射された反射光が出射する出射面と反対側の基板側端部に前記基板で閉じられる凹部を有し、前記基板上に設けられた光路制御部と、
前記凹部内に位置して前記基板に実装された３個以上の微小光源とを具備し、
前記反射面にそれへの前記各微小光源の写り込みの像が連続してなる合成像を含んで前記各微小光源が写り込むように、前記反射面に対して２個以上の前記微小光源が高密度に配列されていることを特徴とする発光装置。
【請求項２】
基板と、
３以上の反射面を有して多角錐状をなすとともに、前記反射面で反射された反射光が出射する出射面と反対側の基板側端部に前記基板で閉じられる凹部を有し、前記基板上に設けられた光路制御部と、
前記凹部内に位置して前記基板に実装された３個以上の微小光源とを具備し、
前記各反射面毎にそれへの前記各微小光源の写り込みの像が連続してなる合成像を含んで前記各微小光源が写り込むように、前記各反射面に対して夫々２個以上の前記微小光源が高密度に配列されていることを特徴とする発光装置。
【請求項３】
前記光路制御部が４つの反射面を有しているとともに、前記各微小光源が縦横の各列を夫々２列以上作って配列されていることを特徴とする請求項２に記載の発光装置。
【請求項４】
請求項２又は３に記載の発光装置を複数備え、これら発光装置が互いに隣接し集合して２次元的に整列されていることを特徴とする照明器具。
【発明の詳細な説明】
【技術分野】
【０００１】
本発明は、発光ダイオード（ＬＥＤ）等の微小な発光素子を光源とする発光装置、及びこの発光装置を複数備える照明器具に関する。
【背景技術】
【０００２】
発光ダイオードを光源とし、これに制光体（光路制御部）を組合わせてなる発光装置が、本出願人により開発され既に出願済みである（例えば特許文献１参照。）。
【０００３】
この未公開の先行出願に記載の発光装置は、図７（Ａ）（Ｂ）に示すように基板１に、発光ダイオード２を実装するとともに、この発光ダイオード２を被う制光体３を配置している。制光体３は、四角形状の平面からなる出射面４と、この出射面４と反対側の端部に開口する凹部５と、この凹部５の開口縁と出射面４の周縁とにわたる４つの全反射面６とを有している。制光体３の凹部５には１つの発光ダイオード２が配置されており、したがって、凹部５を作る面はいずれも発光ダイオード２の光が入射する入射面５ａとなっている。
【０００４】
この発光装置では、発光ダイオード２が点灯されることにより、全反射面６で反射されることなく出射面４を直接通って出射する直接光（無反射光）と、各全反射面６で全反射されてから出射面４を通って出射する反射光とで、照明できる。
【０００５】
このような四角錐状の制光体を有する発光装置を、多数用いて、互いに隣接した状態に集合させて２次元的に整列することにより、所定の光量を得る照明器具を構成できる。この場合に、各発光装置が縦横に整列してマトリックス状に連続するので、隣接した発光装置相互間に隙間ができて、そこが暗くなることがない。すなわち、各照明器具の発光面をなす各出射面が隙間なく連続するので、明るい部分と暗い部分とが形成されることを抑制できる点で有利である。
【特許文献１】特願２００３−０４０１３０（段落００５４−００６８、図７−図９）
【発明の開示】
【発明が解決しようとする課題】
【０００６】
前記のように微小光源である発光ダイオード２の光を、４つの全反射面６を有した制光体３に通して出射させる発光装置は、その点灯時に、発光ダイオード２が高い輝度で発光するに伴って、この高輝度の発光ダイオード２が４つの全反射面６の夫々に写り込む。
【０００７】
この場合、発光ダイオード２は微小光源であるので、当然に各全反射面６の個別に写り込んだ光源（発光ダイオード）の像Ｄは、微小であって、個々の全反射面６に占める面積の割合が小さい。このため、発光装置を正面から見た場合に、発光ダイオード２の周囲の各全反射面６には、図７（Ａ）に示すように微小な光源（発光ダイオード）の像Ｄが夫々粒状となって知覚される。
【０００８】
このように特許文献１の発光装置ではその点灯時に全反射面６の数に応じた多数の輝点（微小光源の像Ｄ）が粒状に視認される。しかし、前記特許文献１の発光装置では、全反射面６に写り込んだ微小光源の像Ｄからなる粒状の輝点が視認されることに対する充分な考慮がなされておらず、この点に関して改善の余地が残されている。
【０００９】
すなわち、発光装置をその正面から見た場合には、粒状の輝点（像Ｄ）のところは明るく視認され、その他の全反射面６の領域は相対的に暗く視認されるので、こうした明暗の刺激は発光装置を視認する人間にとっては「ちらつき」として認識される。このようなちらつき感を伴う発光装置では、全反射面６に写り込んだ微小光源の像Ｄからなる粒状の輝点に起因する視覚的ストレスを人間が受ける。それにより、照明環境での快適感を減じるように心理的に感じられることがある（なお、このような視覚的ストレスによる心理的悪影響を、本明細書では「心理的不快感」と称する。）。
【００１０】
本発明が解決しようとする課題は、微小光源を被った光路制御部の反射面に写り込んだ微小光源の像に起因する心理的不快感を低減できる発光装置、及びこの発光装置を備えた照明器具を提供することにある。
【課題を解決するための手段】
【００１１】
前記課題を解決するために、請求項１に係る発明の発光装置は、基板と、錐状の反射面、及びこの反射面で反射された反射光が出射する出射面と反対側の基板側端部に前記基板で閉じられる凹部を有し、前記基板上に設けられた光路制御部と、前記凹部内に位置して前記基板に実装された３個以上の微小光源とを具備し、前記反射面にそれへの前記各微小光源の写り込みの像が連続してなる合成像を含んで前記各微小光源が写り込むように、前記反射面に対して２個以上の前記微小光源が高密度に配列されていることを特徴としている。
【００１２】
請求項１に係る発明の発光装置の点灯（発光）時には、高密度の３個以上の微小光源が高輝度点として反射面に写り込む。この場合、反射面に写り込んだ高輝度の微小光源の像は３以上であるので、微小光源が写り込んだ反射面に占める微小光源像の面積割合が増える。それだけではなく、反射面に写り込んだ２個以上の微小光源像が、前記高密度の配列にしたがって互いに連続して延びるように合成される。このため、視覚的には、微小光源を被った光路制御部の反射面に写り込んだ微小光源像による粒状感を軽減できる。この発明で、錐状とは、多角錐状及び円錐台状を含んでいる。
【００１３】
又、前記課題を解決するために、請求項２に係る発明の発光装置は、基板と、３以上の反射面を有して多角錐状をなすとともに、前記反射面で反射された反射光が出射する出射面と反対側の基板側端部に前記基板で閉じられる凹部を有し、前記基板上に設けられた光路制御部と、前記凹部内に位置して前記基板に実装された３個以上の微小光源とを具備し、前記各反射面毎にそれへの前記各微小光源の写り込みの像が連続してなる合成像を含んで前記各微小光源が写り込むように、前記各反射面に対して夫々２個以上の前記微小光源が高密度に配列されていることを特徴としている。
【００１４】
この発明及び以下の各発明で、多角錐状とは、周方向に連続する３以上の反射面を有していて、出射面と反対側の基板側端部に凹部が開口されているという形状を指していて、これら反射面が１点に収束するということは含んでいない。この多角錐状としては、正４角錐から正６角錐状状を好適に挙げることができる。更に、この発明及び以下の各発明で、反射面とは、全反射面であることが好ましいが、一部の入射光の透過はあるが殆どの入射光を反射させるような反射面であってもよく、したがって、光路制御部の裏面にアルミニュームなどの金属の蒸着膜を付設して全反射面とすることは妨げない。又、この発明及び以下の各発明で、微小光源には、微小発光素子、例えば固体発光素子、好ましくは発光ダイオードを用いることができる。又、この発明及び以下の各発明で、微小光源が高密度であるとは、隣接する微小光源同士が接触する形態、及び至近距離で隣接する形態を含んでいる。
【００１５】
請求項２に係る発明の発光装置の点灯（発光）時には、高密度の３個以上の微小光源が高輝度点として各反射面に夫々に写り込む。この場合、夫々の反射面に写り込んだ高輝度の微小光源の像は以上であるので、微小光源が写り込んだ反射面に占める微小光源像の面積割合が増える。それだけではなく、各反射面毎に、そこに写り込んだ２個以上の微小光源像が、前記高密度の配列にしたがって互いに連続して延びるように合成される。このため、視覚的には、微小光源を被った光路制御部の各反射面に夫々写り込んだ微小光源像による粒状感を軽減できる。
【００１６】
請求項２に係る発明の好ましい形態として、請求項３の発明では、前記光路制御部が４つの反射面を有しているとともに、前記各微小光源が縦横の各列を夫々２列以上作って配列されていることを特徴としている。
【００１７】
この発明では、４角錐状の光路制御体を備える発光装置において、請求項２の発明と同様に、４つの反射面に写り込んだ高輝度の微小光源の像が占める面積割合が増えるだけではなく、４つの反射面毎に、そこに写り込んだ２個以上の微小光源像が互いに連続して延びるように合成されるため、視覚的には、微小光源を被った光路制御部の４つの反射面に夫々写り込んだ微小光源像による粒状感を軽減できる。
【００１８】
請求項４に係る発明の照明器具は、請求項２又は３に記載の発光装置を複数備え、これら発光装置が互いに隣接し集合して２次元的に整列されていることを特徴としている。
【００１９】
この発明では、２次元的に整列された複数の発光装置の夫々について、その各反射面に写り込んだ高輝度の微小光源の像が占める面積割合が増えるだけではなく、各反射面毎に、そこに写り込んだ２個以上の微小光源像が互いに連続して延びるように合成されるため、視覚的に、微小光源を被った光路制御部の各反射面に夫々写り込んだ微小光源像による粒状感を軽減できる。したがって、視認された場合に粒状感を軽減可能な照明器具を提供できる。
【発明の効果】
【００２０】
請求項１に係る発明によれば、視覚的に、微小光源を被った光路制御部の反射面に写り込んだ微小光源像による粒状感を軽減できるので、錐状をなした光路制御部の反射面に写り込んだ微小光源の像に起因する心理的不快感を低減することが可能な発光装置を提供できる。
【００２１】
請求項２に係る発明によれば、視覚的に、微小光源を被った光路制御部の各反射面に夫々写り込んだ微小光源像による粒状感を軽減できるので、多角錐状をなした光路制御部の３以上の反射面に写り込んだ微小光源の像に起因する心理的不快感を低減することが可能な発光装置を提供できる。
【００２２】
請求項３に係る発明によれば、視覚的に、微小光源を被った光路制御部の４つの反射面に夫々写り込んだ微小光源像による粒状感を軽減できるので、４角錐状をなした光路制御部の４つの反射面に写り込んだ微小光源像に起因する心理的不快感を低減することが可能な発光装置を提供できる。
【００２３】
請求項４に係る発明によれば、請求項２又は３の発明に係る複数の発光装置を、互いに隣接し集合して２次元的に整列しているので、各発光装置の微小光源を被った多角錐状の光路制御部の各反射面に写り込んだ微小光源像に起因する心理的不快感を低減することが可能な照明器具を提供できる。
【発明を実施するための最良の形態】
【００２４】
図１〜図４を参照して本発明の第１の実施形態を説明する。
【００２５】
図１に示す照明器具１１は、器具本体１２と、この器具本体１２の表面に配設された発光面１３とを備えている。器具本体１２は、四角形であって例えば正方形で薄形に形成されていて、その表面側は器具本体１２と相似形状の開口１２ａを有している。発光面１３は、開口１２ａを塞いで器具本体１２に設けられている。この照明器具１１は、天井面や壁面等に埋め込みや直付け或いは吊下げ等により設置され、又は、スタンドに取付けたりすることも可能である。なお、器具本体１２が薄形、ひいては照明器具１１が薄形であることは、後述のように各発光装置の発光要素に微小光源を採用していることにより実現されている。
【００２６】
発光面１３は、四角形であって、例えば正方形をなす複数例えば９個の光源モジュール１５を縦横に互いに連続させて２次元的に整列させてなる。なお、発光面１３は所望の大きさ、例えば９個分の前記光源モジュール１５を集合させた大きさに相当する単一の光源モジュールとすることも可能である。
【００２７】
図２及び図４に示すように各光源モジュール１５は、単一の基板２１と、多数の光路制御部２２ａを有して基板２１を被った単一の制光体２２と、各光路制御部２２ａ毎に対応して配置された多数の微小光源例えば９個の発光ダイオード２３ａ〜２３ｉと、点灯ユニット３０等を備えている。
【００２８】
基板２１と、１つの光路制御部２２ａと、この１つの光路制御部２２ａに対して基板２１に配置された一群の発光ダイオード、つまり、９個の発光ダイオード２３ａ〜２３ｉとは、図３（Ａ）（Ｂ）に示す発光装置２４を形成している。したがって、各光源モジュール１５は、別の表現で言えば、多数の発光装置２４の集合体、つまり、発光装置２４を縦横に互いに連続させて２次元的に整列させた発光装置群で作られている。なお、説明の都合上図面においては一群の発光ダイオード２３ａ〜２３ｉを指す代表符合として符号２３を併用する。
【００２９】
基板２１は電気絶縁材料により四角形例えば正方形をなしている。この基板２１の一面である正面には図示しない導電性の配線パターンが形成されている。基板２１には、表面実装部品（ＳＭＤ）であるチップ状の固体発光素子として例えば発光ダイオード２２ａ〜２３ｉが夫々配線パターン上に縦横に等間隔で並んで、電気的かつ機械的に接続された状態に実装されている。これら発光ダイオード２２ａ〜２３ｉの詳しい配置については後述する。これら発光ダイオード２２ａ〜２３ｉの発光色は、照明用として白色が好適に用いられるが、他の単色の色や、複数色を用いてもよい。
【００３０】
制光体２２は導光性を有する透明の合成樹脂やガラスにより一体成形されている。この制光体２２が備える多数の光路制御部２２ａは、縦横に互いに連続して２次元的に整列されている。個々の光路制御部２２ａは、一単位として扱われる多数の発光ダイオード２３ａ〜２３ｉを被って配置される関係から前記特許文献１に記載された単一の光路制御部としての制光体より大形に作られている。図３（Ａ）（Ｂ）及び図４に示すように各光路制御部２２ａは、プリズムないしはレンズとして機能するものであって、好ましい例として４つの反射面２５ａ〜２５ｄと、出射面２６と、入射面２７ａによって区画された凹部２７とを有した４角錐状をなしている。
【００３１】
反射面２５ａ〜２５ｄは、いずれも入射面２７ａから入射した光を全反射させる面であり、周方向には折れ曲がって互いに連続している。出射面２６は反射面２５ａ〜２５ｄで反射された反射光が出射する面である。これらの連続する反射面２５ａ〜２５ｄで所定の配光パターンが得られるように構成されており、前記４つの反射面２５ａ〜２５ｄは、いずれも、その曲率や光拡散性が発光ダイオード２３ａ〜２３ｉの発光特性や光源モジュール１５の配光パターンに対応する曲面又は平坦面で形成されている。
【００３２】
出射面２６は、第１実施形態では発光装置２４の光軸と平行な光を出射させるために平坦面としてあるが、配光設計に応じて、例えば発光装置２４の光軸に対して所定角度で交差する方向に出射光を出射したり、或いは出射光を散乱させたりする等のために、出射面２６を粗面にすることも可能である。なお、出射面２６を平坦面としたことは、この出射面２６に塵が付着し難いとともに、付着した塵を容易に拭き掃除できる点で好ましい。
【００３３】
凹部２７は出射面２６とは反対側の基板側端部に開放して設けられている。発光装置２４の組立てによって、制光体２２が基板２１上に図示しない位置決め手段で位置決めして被着された時に、前記基板側端部が基板２１に当って凹部２７の開口が基板２１で閉じられるようになっている。
【００３４】
図２及び図３（Ａ）等に示されるように発光ダイオード２３ａ〜２３ｉは、光路制御部２２ａの凹部２７に位置して、互いに至近距離で隣接して、３個ずつの発光ダイオードが縦横に等間隔に並べられた状態に配列されている。つまり、入射面２７ａで囲まれた発光ダイオード２３ａ〜２３ｉは２次元的に整列して高密度に配列されている。この高密度配置として、例えば縦横寸法が４×６mmの表面実装型発光ダイオードの場合、ダイオード間のクリアランスを１mm以下とした実装例を示すことができる。発光ダイオード２３ａ〜２３ｉが基板２１に表面実装されることにより、高密度配列が可能であるとともに、ＳＭＤ製の発光ダイオード２３ａ〜２３ｉはチップ状であるので、光源モジュール１５ひいては照明器具１１の薄型化に貢献でき、省エネルギー化を促進できる点で優れている。
【００３５】
縦横各３列のマトリックス状配置において、図２及び図３（Ａ）で３つの縦列は、発光ダイオード２３ａ〜２３ｃの縦列、発光ダイオード２３ｄ〜２３ｆの縦列、及び発光ダイオード２３ｇ〜２３ｉで作られているとともに、図２及び図３（Ａ）で３つの横列は、発光ダイオード２３ａ、２３ｄ、２３ｇの横列、発光ダイオード２３ｂ、２３ｅ、２３ｈの横列、及び発光ダイオード２３ｃ、２３ｆ、２３ｉの横列で作られている。
【００３６】
図３で横列方向に向い合うように対応している第１、第３の反射面２５ａ、２５ｃに対して、これらの幅方向（図３では縦方向）と平行に、発光ダイオードの前記各縦列が配置されている。同様に、図３で横列方向に向い合うように対応している第２、第４の反射面２５ｂ、２５ｄに対して、これらの幅方向（図３では横方向）と平行に、発光ダイオードの前記各横列が配置されている。このように各反射面２５ａ〜２５ｄに対して１列以上、例えば複数列、具体的には３列の発光ダイオード列を、入射面２７ａに対向させて配置した構成により、後述のように各反射面２５ａ〜２５ｄ毎に、そこに写り込んだ発光ダイオード２３ａ〜２３ｉの像が互いに線状に連続するようにしている。なお、発光ダイオードの縦列及び横列は、夫々１列以上であればよく、第１実施形態のように反射面が４面ある場合には２列以上設けるとよく、３列には制約されない。
【００３７】
なお、図２及び図３（Ａ）中符号２２ｂは、制光体２２の表面側において桝目状をなして互いに隣接した光路制御部２２ａを一体に連続させたつなぎ部を示している。このつなぎ部２２ｂは各光路制御部２２ａの制光体２２と相似形をなす形状例えば正方形の出射面２６を、恰も区画するように設けられている。
【００３８】
図４に示すように点灯ユニット３０は基板２１の裏側に配置されている。この点灯ユニット３０は、電気絶縁性のボックス３１を有している。ボックス３１は、これから突設された複数のねじ３２により、基板２１の裏面にこれから離間し間隔を空けた状態で固定されている。各ねじ３２の先端部は、基板２１を貫通し、絶縁物３３を介してナット３４が締め付けられることによって、基板２１に固定されている。ボックス３１内には電子回路基板３５が収容され、この電子回路基板３５とねじ３２との間には電気絶縁物３６が介在されている。電子回路基板３５には、交流電流を全波整流して直流電流に変換し、この変換された直流電流を発光ダイオード２３ａ〜２３ｉに印加してこれらを直流点灯させる電子回路３７が実装されている。電子回路基板３５には図示しない電源から交流電流を導く電線３８が接続されているとともに、電子回路基板３５と基板２１の配線パターンとは、直流電流を導く電線３９を通して電気的に接続されている。
【００３９】
なお、第１実施形態では、各光源モジュール１５の夫々に対して個別に点灯ユニット３０を対応させて設けたが、各光源モジュール１５の数より少ない点灯ユニットを用いてこの点灯ユニットを少なくとも２以上の光源モジュール１５に共用させてもよい。
【００４０】
照明器具１１の点灯状態では、その各発光装置２４の中央部に位置して点灯された一単位の発光ダイオード２３ａ〜２３ｉの夫々が放射する光によって、被照明空間を照明できる。つまり、各反射面２５ａ〜２５ｄで反射されることなく、図３（Ｂ）中角度θの範囲で出射面２６を直接通って出射する直接光（無反射光）イと、各反射面２５ａ〜２５ｄで全反射されてから出射面２６を通って出射する反射光ロとで、被照明空間が照明される。
【００４１】
この照明において照明器具１１を正面から見ると、各発光装置２４において、高密度の発光ダイオード２３ａ〜２３ｉ群の輝点（なお、図３（Ａ）では説明の便宜上黒く塗って示す。）を視認できる他、その周囲の４つの反射面２５ａ〜２５ｄに夫々に写り込んだ発光ダイオード２３ａ〜２３ｉ群の像が高い輝度で視認できる。各反射面２５ａ〜２５ｄに写り込んだ発光ダイオード２３ａ〜２３ｉ群の像の状態を図３（Ａ）に説明の便宜上黒く塗って示す。
【００４２】
すなわち、図３（Ａ）において反射面２５ａへの発光ダイオード２３ａ〜２３ｉの像の写り込みについて代表して説明する。発光ダイオード２３ａ〜２３ｉから反射面２５ａに向けて放射された光は、入射面２７ａから光路制御部２２ａ内を通って反射面２５ａで全反射されてから出射面２６から出射される。３つの互いに平行な発光ダイオード列と反射面２５ａとの距離の関係から、反射面２５ａに最も近い発光ダイオード２３ａ〜２３ｃの縦列から夫々出射した光は、反射面２５ａの基板２１寄りの部分で全反射されて反射面２５ａの幅方向に延びる合成像Ｘとして視認され、反射面２５ａから最も遠い発光ダイオード２３ｇ〜２３ｉの縦列から夫々出射した光は、反射面２５ａの出射面２６寄りの部分で全反射されて反射面２５ａの幅方向に延びる合成像Ｙとして視認され、反射面２５ａに対して中間位置の発光ダイオード２３ｄ〜２３ｆの縦列から夫々出射した光は、反射面２５ａの中間部分で全反射されて反射面２５ａの幅方向に延びる合成像Ｚとして視認される。
【００４３】
同様に、反射面２５ａに対応している反射面２５ｃについても、この反射面２５ｃに最も近い発光ダイオード２３ｇ〜２３ｉの縦列から夫々出射した光が、反射面２５ｃの基板２１寄りの部分で全反射されて反射面２５ｃの幅方向に延びる合成像Ｘとして視認され、反射面２５ｃから最も遠い発光ダイオード２３ａ〜２３ｃの縦列から夫々出射した光が、反射面２５ｃの出射面２６寄りの部分で全反射されて反射面２５ｃの幅方向に延びる合成像Ｙとして視認され、反射面２５ｃに対して中間位置の発光ダイオード２３ｄ〜２３ｆの縦列から夫々出射した光は、反射面２５ｃの中間部分で全反射されて反射面２５ｃの幅方向に延びる合成像Ｚとして視認される。
【００４４】
同様に、反射面２５ｂについても、この反射面２５ｂに最も近い発光ダイオード２３ａ、２３ｄ、２３ｇの横列から夫々出射した光が、反射面２５ｂの基板２１寄りの部分で全反射されて反射面２５ｂの幅方向に延びる合成像Ｘとして視認され、反射面２５ｂから最も遠い発光ダイオード２３ｃ、２３ｆ、２３ｉの横列から夫々出射した光が、反射面２５ｂの出射面２６寄りの部分で全反射されて反射面２５ｂの幅方向に延びる合成像Ｙとして視認され、反射面２５ｂに対して中間位置の発光ダイオード２３ｂ、２３ｅ、２３ｈの横列から夫々出射した光は、反射面２５ｂの中間部分で全反射されて反射面２５ｂの幅方向に延びる合成像Ｚとして視認される。
【００４５】
同様に、反射面２５ｂに対応している反射面２５ｄついても、この反射面２５ｄに最も近い発光ダイオード２３ｃ、２３ｆ、２３ｉの横列から夫々出射した光が、反射面２５ｂの基板２１寄りの部分で全反射されて反射面２５ｄの幅方向に延びる合成像Ｘとして視認され、反射面２５ｂから最も遠い発光ダイオード２３ａ、２３ｄ、２３ｇの横列から夫々出射した光が、反射面２５ｂの出射面２６寄りの部分で全反射されて反射面２５ｄの幅方向に延びる合成像Ｙとして視認され、反射面２５ｂに対して中間位置の発光ダイオード２３ｂ、２３ｅ、２３ｈの横列から夫々出射した光は、反射面２５ｂの中間部分で全反射されて反射面２５ｄの幅方向に延びる合成像Ｚとして視認される。
【００４６】
以上のように各反射面２５ａ〜２５ｄの夫々に一群の発光ダイオード２３ａ〜２３ｉの像が写り込むことにより、これらの像が各反射面２５ａ〜２５ｄの夫々において占める面積割合が増える。それだけではなく、一群の発光ダイオード２３ａ〜２３ｉは高密度にかつマトリックス状に配列されているので、各縦列及び横列をなす３個の発光ダイオードの像が反射面の幅方向に連続して延びる合成像Ｘ〜Ｚとして視認される。更に、第１実施形態では発光ダイオード２３ａ〜２３ｉの各縦列及び横列の合成像Ｘ〜Ｚが、各反射面２５ａ〜２５ｄに対して個別に互いに平行でかつ互いに接近した３列の集合状態で写り込んでいるので、これら３列の合成像Ｘ〜Ｚが実質的には面状に視認される。
【００４７】
このため、天井等に設置された照明器具１１の発光面１３の略全面が明るく輝くので、この明るい発光面１３で被照明空間を照明する、いわゆるベース照明を行うのに好適である。
【００４８】
このベース照明において、前記各発光装置２４及びこれらの発光装置２４を備えた照明器具１１を視認した場合、既述のように一群の発光ダイオード２３ａ〜２３ｉを被った光路制御部２２ａの反射面２５ａ〜２５ｄに夫々写り込んだ発光ダイオード２３ａ〜２３ｉの合成像Ｘ〜Ｚが、視覚的には、反射面２５ａ〜２５ｄの夫々に実質的に大きな領域を占めた状態として知覚されるので、反射面２５ａ〜２５ｄへの写り込み象による粒状感が軽減される。この結果、反射面２５ａ〜２５ｄへの写り込み象に起因する心理的不快感を低減できる。
【００４９】
なお、１つの制光体（光路制御体）に対して１つの発光ダイオードを組合わせてなる特許文献１において、その光路制御体の形状を小さくして、発光ダイオードの像が写り込む面積を小さくすれば、反射面に写り込む高輝度微小光源像の大きさが、反射面に占める割合を相対的に増やすことが可能である。しかし、光路制御体は全反射面を有していて、高精度の出射光の光路制御を行うものであるため、光路制御体が小さくなるほど光学設計や成形の難しさが増えるとともに、確実に全反射をさせるために対をなす発光ダイオードに対して逐一正確に位置決めする必要がある。このように光路制御体の大きさを小さくすることは、設計、製造、及び位置決めが困難となる点で不利である。
【００５０】
しかし、一群の発光ダイオード２３ａ〜２３ｉを収容してこれらからの光を全反射させる光路制御部２２ａは、一群の発光ダイオード２３ａ〜２３ｉに対して共用されていて、その大きさは特許文献１の光路制御体より数倍大きい。これにより、既述のように反射面２５ａ〜１５ｄの夫々に写り込む発光ダイオード２３ａ〜２３ｉの高輝度像Ｘ〜Ｚの大きさが、個々の反射面２５ａ〜１５ｄに占める割合を増やすことができるにも拘らず、設計、製造、及び位置決めが容易となる点で有利である。当然に、１台の照明器具１１に使用する光路制御部２２ａの数も削減できるので、組立て工数も削減されるなど組立て上でも有利である。
【００５１】
第１実施形態では、光源モジュール１５が備える互いに隣接した複数の発光装置２４の光路制御部２２ａを一体成形したので、数多くの光路制御部２２ａを個々に成形する必要がないとともに、各光路制御部２２ａの夫々を個々に位置決めして基板２１に取付ける手間を要せず組立て工数が少ない。このため、組立て性に優れ、コストダウンを図ることが可能である点で優れている。しかし、本発明は、これに限定されるものではなく、一つ一つの発光装置２４の光路制御部２２ａは独立していても構わない。
【００５２】
なお、光路制御部２２ａの反射面が４面である第１実施形態において、各発光ダイオード２３ａ〜２３ｉの内、各発光ダイオード２３ａ、２３ｃ、２３ｇ、２３ｉのみを用いて、その他の発光ダイオードを省略するとともに、使用する各発光ダイオード２３ａ、２３ｃ、２３ｇ、２３ｉを互いに至近距離で接近又は接触させる配置として実施する場合には、各発光ダイオード２３ａ、２３ｃ、２３ｇ、２３ｉの縦横の列が夫々２列となるから、各反射面２５ａ〜２５ｄの夫々に写り込む発光ダイオード２３ａ、２３ｃ、２３ｇ、２３ｉの像を夫々２列にできる。更に、第１実施形態において、各発光ダイオード２３ａ〜２３ｉの内、真中の発光ダイオード２３ｅを取除いて実施することもできる。又、第１実施形態において、各発光ダイオード２３ａ〜２３ｉの内、四隅に位置した各発光ダイオード２３ａ、２３ｃ、２３ｇ、２３ｉは取除いて実施することもできる。
【００５３】
図５は本発明の第２の実施形態を示している。この第２実施形態は、基本的には第１実施形態と同じであるので、第１実施形態と同じ部分には同一符号を付してその説明を省略し、以下、第１実施形態とは相違している部分について説明する。
【００５４】
第２実施形態では、制光体２２の各光路制御部２２ａが、その厚み方向に複数層例えば２つの制光層２２Ｘ、２２Ｙを積層して形成されている。平坦な出射面２６と凹部２７との間に位置された制光層２２Ｘ、２２Ｙの境界２２Ｚは、その全面を占める多数の凹凸が設けられた粗面で作られている。この境界２２Ｚは、凹部２７が設けられた制光層２２Ｙの反射面２５ａ〜２５ｄ（図５には反射面２５ａ、２５ｃのみ図示する。）で全反射された光を、乱反射させる拡散面として機能する。隣接する制光層２２Ｘ、２２Ｙは、同じ屈折率を有した材質であってもよいが、乱反射による拡散性能を高めるためには異なる屈折率を有した材質で形成することが好ましい。以上説明した事項以外の構成は、図５に示されない構成を含めて第１実施形態と同じである。
【００５５】
したがって、この第２実施形態でも、第１実施形態と同様な作用を得て本発明の課題を解決できる。しかも、既述の境界２２Ｚを有することによって、反射面２５ａ〜２５ｄに写り込んだ発光ダイオード２３ａ〜２３ｉ（図５には発光ダイオード２３ｂ、２３ｅ、２３ｈのみ図示する。）の高輝度の像の輪郭を、境界２２Ｚでの乱反射によって拡散させることができる。これにより、反射面２５ａ〜２５ｄに写り込んだ像を見掛け上大きく視認させることができるとともに、発光面全体を明るく光らすことに大きく寄与するので、本発明の課題を解決する上ではより効果的である。なお、この第２実施形態の技術思想は、１つの発光ダイオードを光路制御部で被う発光装置の構成においても適用可能である。
【００５６】
図６は本発明の第３の実施形態を示している。この第３実施形態は、基本的には第１実施形態と同じであるので、第１実施形態と同じ部分には同一符号を付してその説明を省略し、以下、第１実施形態とは相違している部分について説明する。
【００５７】
第３実施形態では、光路制御部２２ａの反射面を複数の部分反射面、例えば第１、第２の部分反射面２５Ｘ、２５Ｙを互いに連続させて形成されている。これらの部分反射面２５Ｘ、２５Ｙは例えば滑らかな曲面で形成されている。光路制御部２２ａでのレンズ効果によって、各部分反射面２５Ｘ、２５Ｙからの反射光の出射角（ビーム角）が、光路制御部２２ａの反射面全体からのビーム角と略同じとなるように配光制御されている。なお、部分反射面２５Ｘ、２５Ｙでの反射をより確実にするために、光路制御部２２ａの裏面には蒸着金属などからなる反射膜２５Ｚが設けられている。以上説明した事項以外の構成は、図６に示されない構成を含めて第１実施形態と同じである。
【００５８】
したがって、この第３実施形態でも、第１実施形態と同様な作用を得て本発明の課題を解決できる。しかも、光路制御部２２ａの反射面が夫々複数の領域に区画されているので、その部分反射面２５Ｘ、２５Ｙの夫々に、発光ダイオード２３ａ〜２３ｉ（図６には発光ダイオード２３ｂ、２３ｅ、２３ｈのみ図示する。）の像を写り込ませることができる。これにより、反射面に写り込んだ高輝度の像が占める割合をより増やすことができるので、本発明の課題を解決する上ではより効果的である。なお、この第３実施形態の技術思想は、１つの発光ダイオードを光路制御部で被う発光装置の構成においても適用可能である。
【００５９】
又、本発明は、多角錐状を含む錐状、例えば反射面が円錐台状をなす光路制御部を備えた発光装置にも適用可能である。
【図面の簡単な説明】
【００６０】
【図１】本発明の第１実施形態に係る照明器具を示す正面図。
【図２】図１の照明器具が備える光源モジュールを一部切欠いて示す正面図。
【図３】（Ａ）は図２の光源モジュールの一部を拡大して示す正面図。（Ｂ）は図３（Ａ）中Ｚ−Ｚ線に沿う断面図。
【図４】図２中Ｙ−Ｙ線に沿う光源モジュールの断面図。
【図５】本発明の第２実施形態に係る照明器具が備える光源モジュールの一部を示す断面図。
【図６】本発明の第３実施形態に係る照明器具が備える光源モジュールの一部を示す断面図。
【図７】（Ａ）は先行技術に係る発光装置を示す平面図。（Ｂ）は図７中Ｘ−Ｘ線に沿う断面図。
【符号の説明】
【００６１】
１１…照明器具、１２…器具本体、１３…発光面、１５…光源モジュール、２１…基板、２２…制光体、２２ａ…光路制御部、２３ａ〜２３ｉ…発光ダイオード（微小光源）、２４…発光装置、２５ａ〜２５ｄ…反射面、２６…出射面、２７ａ…入射面、２７…凹部、Ｘ、Ｙ，Ｚ…合成像
【図１】
2005183591.tif 000003
【図２】
2005183591.tif 000004
【図３】
2005183591.tif 000005
【図４】
2005183591.tif 000006
【図５】
2005183591.tif 000007
【図６】
2005183591.tif 000008
【図７】
2005183591.tif 000009